(57)【要約】      （修正有）【課題】濾過砂中に砂パイプを立設するときに、濾筒の両端開口部に剛性を持たせることにより、確実に深く埋め立てることができ、而も立設した後もこれが倒れにくくする。濾筒の両端開口部を閉塞する底板が該濾過砂に直接強く擦れて傷まないようにする。また濾筒の下端側に充填された粒径の微細な砂によって、汚れた成分が付着した濾過砂の砂パイプ内への侵入を阻止する。【解決手段】濾筒２の長さ方向の両端部に、円周方向に沿って複数箇所に切欠き４を設けて恰も櫛歯形を呈するようにする。そしてまた、該切欠き４を含む両端部の縁には剛性を持たせる。更に、切欠き４より奥側、即ち上げ底式に、濾筒２の両端開口部を閉塞する底板５を取着する。また、濾筒２内に充填する砂３は、両端側の砂を粒径の微細な砂とし、中央部の砂を両端側の砂より粒径の大きな砂とする。【選択図】図１
0003129193.tif 000002
【実用新案登録請求の範囲】
【請求項１】
一部に排水口を設けた乾燥槽の底部に、所定の厚みに濾過砂を敷き、該濾過砂に、水透過性の濾過布材で形成した筒状の濾筒に濾過砂を充填してなる砂パイプを立設し、前記濾過砂の上に投入した汚泥中に含まれる水及び表面水を、前記濾過砂及び砂パイプを通して前記排水口から排出するようになした汚泥乾燥装置において、その濾筒の長さ方向の両端部に、夫々端面から奥側に向かう所要の深さの切欠きを円周方向に沿って複数箇所設けると共に、該切欠き部分を含む両端部の縁に適宜の手段をもって剛性を持たせ、更に前記切欠きより奥側に、濾筒の両端開口部を閉塞する底板を取着したことを特徴とする汚泥乾燥装置用砂パイプ。
【請求項２】
濾筒をポリエチレン又はポリエステルからなる濾過布材で形成し、該濾筒の切欠き部分を含む両端部の縁を加熱溶融した後冷却して硬化させ、もって切欠き部分を含む両端部の縁に剛性を持たせてなる請求項１記載の汚泥乾燥装置用砂パイプ。
【請求項３】
濾筒に充填する濾過砂を、両端部の砂を粒径の微細な砂とし、中央部の砂を両端部の砂より粒径の大きな砂としてなる請求項１又は２記載の汚泥乾燥装置用砂パイプ。
【請求項４】
濾筒に充填する濾過砂として、乾燥した汚泥を破砕して形成したものを使用することからなる請求項１、２又は３記載の汚泥乾燥装置用砂パイプ。
【請求項５】
濾筒に充填する濾過砂として、活性炭を使用することからなる請求項１、２又は３記載の汚泥乾燥装置用砂パイプ。
【請求項６】
濾筒に充填する濾過砂として、乾燥した汚泥を破砕したものに活性炭を混入したものを使用することからなる請求項１、２又は３記載の汚泥乾燥装置用砂パイプ。
【考案の詳細な説明】
【技術分野】
【０００１】
本考案は、浄水場等における排水処理過程において発生する汚泥を天日乾燥するための汚泥乾燥装置において使用される砂パイプの改良に関するものである。
【背景技術】
【０００２】
浄水場等で発生する汚泥を天日乾燥するための汚泥乾燥装置は、図４及び図５に示す通りである。該汚泥乾燥装置１００は、一部に排水口１０１を設けた乾燥槽１０２の底部１０２ａに、所定の厚みに濾過砂１０３を敷き、該濾過砂１０３に、水透過性の濾過布材で形成した筒状の濾筒１０４に濾過砂１０５を充填してなる砂パイプ１０６を立設し、前記濾過砂１０３の上に投入した汚泥１０７中に含まれる水を、前記濾過砂１０３及び砂パイプ１０６を通して前記排水口１０１から排出するようになしたものである。そして、該汚泥乾燥装置１００によって汚泥中の水分を抜きつつ陽光と風を当てることによって乾燥させるものである。
【０００３】
そしてまた、斯かる汚泥乾燥装置１００で用いられている砂パイプ１０６は、上記の通りの構成であると共に、図６に示す如く、その濾筒１０４の両端開口部に、該濾筒１０４と同一素材からなるキャップ状の蓋１０６Ａ、１０６Ａを被着してなるものである。
【０００４】
しかし、斯かる砂パイプ１０６の場合には、キャップ状の蓋１０６Ａを使用しないときには、その端部が濾過砂１０３との間で滑りながら埋め立てられることとなり、その埋め込む力に耐えられずに破損したり、またこれを濾過砂１０３中に埋め込むときにキャップ状の蓋１０６Ａを被着して使用するときには、キャップ状の蓋１０６Ａが濾過砂１０３との間で滑ってしまい、これを容易に立てることができず、砂の上に深く埋め立てることができないために、倒れやすいという問題点がある。またキャップ状の蓋１０６Ａが該濾過砂１０３に強く擦れて傷みやすいという問題点がある。
【考案の開示】
【考案が解決しようとする課題】
【０００５】
本考案は上記の点に鑑みなされたものであって、濾筒の長さ方向の両端部に、円周方向に沿って複数箇所に切欠きを設けて恰も櫛歯形を呈するようになすことにより、左右に回しながら押し込むときに、突き出た部分で濾過砂をほぐすようにすることができ、これにより容易に深く埋め込むことができ、濾筒の両端開口部を上げ底式に閉塞する底板も濾過砂に直接強く擦れないようにすることができ、もってこれを立設したときに倒れにくくすることができると共に繰り返し永く使用することのできる砂パイプを提供せんとするものである。
【課題を解決するための手段】
【０００６】
而して、本考案の要旨とするところは、一部に排水口を設けた乾燥槽の底部に、所定の厚みに濾過砂を敷き、該濾過砂に、水透過性の濾過布材で形成した筒状の濾筒に濾過砂を充填してなる砂パイプを立設し、前記濾過砂の上に投入した汚泥中に含まれる水及び表面水を、前記濾過砂及び砂パイプを通して前記排水口から排出するようになした汚泥乾燥装置において、その濾筒の長さ方向の両端部に、夫々端面から奥側に向かう所要の深さの切欠きを円周方向に沿って複数箇所設けると共に、該切欠き部分を含む両端部の縁に適宜の手段をもって剛性を持たせ、更に前記切欠きより奥側に、濾筒の両端開口部を閉塞する底板を取着したことを特徴とする汚泥乾燥装置用砂パイプにある。
【０００７】
また、上記構成において、濾筒をポリエチレン又はポリエステルからなる濾過布材で形成し、該濾筒の切欠き部分を含む両端部の縁を加熱溶融した後冷却して硬化させ、もって切欠き部分を含む両端部の縁に剛性を持たせるようになしてもよい。
【０００８】
また、上記構成において、濾筒に充填する濾過砂を、両端部の砂を粒径の微細な砂とし、中央部の砂を両端部の砂より粒径の大きな砂としてもよい。この場合には、砂パイプを濾過砂中に埋め込むときに、埋め込む側、つまり下端側に充填された粒径の微細な砂によって汚れた成分が付着した濾過砂の砂パイプ内への侵入を阻止することができるものである。
【０００９】
また、上記構成において、濾過砂として乾燥した汚泥を破砕したものを使用するときには、汚泥の馴染みがよく、一層効率よく濾過することができるものである。また、濾過砂として活性炭を使用することもでき、またはこれを前記汚泥を破砕したものと併用することもでき、活性炭を使用した場合には、更に前記効果に加え臭気の吸着効果等をも期待できるものである。
【考案の効果】
【００１０】
本考案は上記の如き構成であり、濾筒の長さ方向の両端部に、円周方向に沿って複数箇所に切欠きを設けて恰も櫛歯形を呈するようになしたものであるから、左右に回しながら押し込むときに、突き出た部分で濾過砂をほぐすようにして深く進むことができ、これにより濾筒を容易に深く埋め込むことができ、更に濾筒の両端開口部を上げ底式に閉塞する底板も濾過砂に直接強く擦れないようにすることができ、もってこれを立設したときに櫛歯形の突き出した部分が濾過砂中に深く突き刺さった状態となるから倒れにくく、而も繰り返し永く使用することができるものである。
【００１１】
また、濾筒に充填する濾過砂を、両端部の砂を粒径の微細な砂とし、中央部の砂を両端部の砂より粒径の大きな砂となした場合には、砂パイプを濾過砂中に埋め込むときに、埋め込む側、つまり下端側に充填された粒径の微細な砂によって汚れた成分が付着した濾過砂の砂パイプ内への侵入を阻止することができるものである。
【考案を実施するための最良の形態】
【００１２】
本考案を実施するための最良の形態は、濾筒の長さ方向の両端部に、円周方向に沿って複数箇所に切欠きを設けて恰も櫛歯形を呈するようになし、また該濾筒の両端開口部を閉塞する底板を、前記切欠きより奥側に上げ底式に取着することにある。
【実施例】
【００１３】
以下、本考案の実施例について説明する。
図１は本考案の実施例に係る砂パイプの長さ方向の中央部を一部省略して示した斜視図、図２は図１に示した砂パイプの中央縦断正面図、図３は図２中Ａ部分の拡大図である。
【００１４】
図中、１は砂パイプであり、所望の時期に上下を逆にして使用できるものである。該砂パイプ１は、水透過性の濾過布材で形成した筒状の濾筒２に濾過砂３を充填してなるものである。尚、該濾過布材として本実施例ではポリエチレン又はポリエステルを用いている。また、濾過砂３としては、固化した汚泥を破砕した汚泥砂でもよい。また、これに代えて活性炭を使用することもでき、更にこれと前記汚泥を破砕したものを混合して使用してもよい。このように活性炭を使用することにより、消臭効果も期待できるものである。
【００１５】
また、該砂１は、濾筒２の長さ方向の両端部に、夫々端面から奥側に向かう所要の深さの切欠き４、４、４・・・を円周方向に沿って複数箇所設けて恰も櫛歯形を呈するようになしている。そしてまた、該切欠き４、４、４・・・部分を含む両端部の縁に適宜の手段をもって剛性を持たせている。また、本実施例においては、濾筒２を前記の通りポリエチレン又はポリエステルからなる濾過布材で形成してあるから、これの切欠き４、４、４・・・部分を含む両端部を加熱して溶融した後、自然冷却すればこれが硬化し、剛性を持つに至るものである。尚、図において１Ａは剛性を持った部分である。また、この他の剛性をもたせる手段として、加熱した棒状体（図示せず。）を端面に押しつけるようにしてもよく、この場合には、一度で切欠きを設けると同時に剛性を持たせる構造とすることができ、簡易且つ迅速に行うことができる。
【００１６】
また、前記濾筒２に充填する濾過砂３は、両端側の砂３ａ、３ａを粒径の微細な砂とし、中央部の砂３ｂを両端側の砂より粒径の大きな砂としてなるものである。
【００１７】
そしてまた、前記濾筒２の両端開口部を閉塞する底板５、５は、前記切欠き４、４、４・・・より奥側、即ち上げ底式に取着している。また、本実施例では該底板５、５は、前記濾筒２と同様にポリエチレン又はポリエステルからなる濾過布材で形成しているが、本考案はこれに限定されるものではなく、他の材料からなるものを使用できること勿論である。
【００１８】
次に、上記実施例の作用について説明する。
濾筒２の長さ方向の両端部に、円周方向に沿って複数箇所に切欠き４、４、４・・・を設けて恰も櫛歯形を呈するようになしたことにより、左右に回しながら押し込むときに、突き出た部分で濾過砂１０３をほぐすようにして深く進むことができ、これにより濾筒２を容易に深く埋め込むことができ、更に濾筒２の両端開口部を上げ底式に閉塞する底板５も濾過砂１０３に直接強く擦れないようにすることができ、もってこれを立設したときに櫛歯形の突き出した部分が濾過砂１０３中に深く突き刺さった状態となるから倒れにくく、而も繰り返し永く使用することができるものである。更に、底板５もまた汚れた成分が付着した濾過砂１０３の砂パイプ１内への侵入を阻止する。
【００１９】
また、濾筒２に充填する濾過砂３を、両端部の砂３ａ、３ａを粒径の微細な砂とし、中央部の砂３ｂを両端部の砂３ａ、３ａより粒径の大きな砂となしたことにより、砂パイプ１を濾過砂１０３中に埋め込むときに、埋め込む側、つまり下端側に充填された粒径の微細な砂３ａによって汚れた成分が付着した濾過砂１０３の砂パイプ１内への侵入を阻止することができるものである。
【図面の簡単な説明】
【００２０】
【図１】本考案の実施例に係る砂パイプの長さ方向の中央部を一部省略して示した斜視図である。
【図２】図１に示した砂パイプの中央縦断正面図である。
【図３】図２中Ａ部分の拡大図である。
【図４】従来の砂パイプを使用した汚泥乾燥装置の斜視図である。
【図５】図４中Ａ−Ａ線断面図である。
【図６】従来の砂パイプの中央縦断正面図である。
【符号の説明】
【００２１】
１  砂パイプ
２  濾筒
３  濾過砂
３ａ、３ａ  濾筒内の両端側の濾過砂
３ｂ  濾筒内の中央部の砂
４、４、４・・・  切欠き
５、５  濾筒の両端部を閉塞する底板
【図１】
0003129193.tif 000003
【図２】
0003129193.tif 000004
【図３】
0003129193.tif 000005
【図４】
0003129193.tif 000006
【図５】
0003129193.tif 000007
【図６】
0003129193.tif 000008